(57)【要約】      （修正有）【課題】エクササイズ又は他の運動中に、サポート性の十分な肌着を提供する。【解決手段】肌着１００は、実質的に筒状の形状を有し、使用者の胴体の少なくとも一部を包囲するように構成された本体１０２を含む。本体１０２は、本体１０２の前面にあるポーチ領域１０８と、保持縫目を含む縫目領域１１０とを含み、保持縫目はポーチ領域１０８を少なくとも部分的に縁取っており、縫目領域は本体１０２の他の部分よりも横方向への伸縮性が低い縫目領域とを含む。【選択図】図１
2020204145.tif 000002
【特許請求の範囲】
【請求項１】
下着であって：
実質的に筒状の形状を有し、使用者の胴体の少なくとも一部を包囲するように構成された本体を備え、
前記本体は：
前記本体の前面にあるポーチ領域と；
保持縫目を備える縫目領域であって、前記保持縫目は前記ポーチ領域を少なくとも部分的に縁取り、前記縫目領域は前記本体の他の部分よりも横方向への伸縮性が低い、縫目領域と；を備え、
前記縫目領域は、前記ポーチ領域の外周に沿う第１の縫目範囲と、前記ポーチ領域と前記第１の縫目範囲との間の第２の縫目範囲とを備え、
前記第２の縫目範囲は、前記保持縫目を備え、前記第１の縫目範囲よりも横方向への伸縮性が低い、
下着。
【請求項２】
前記本体は、丸網みされた筒状の未加工の生地で形成された、
請求項１に記載の下着。
【請求項３】
前記第１の縫目範囲は、外側縫目範囲と内側縫目範囲とを備え、
前記内側縫目範囲は、前記外側縫目範囲よりも横方向への伸縮性が低い、
請求項１または請求項２に記載の下着。
【請求項４】
前記外側縫目範囲は、第１のリブ構造を備え、
前記内側縫目範囲は、前記第１のリブ構造よりも幅広い第２のリブ構造を備える、
請求項３に記載の下着。
【請求項５】
前記外側縫目範囲の第１のリブ構造は、１×１のリブ構造を備え、
前記内側縫目範囲の第２のリブ構造は、４×１のリブ構造を備える、
請求項４に記載の下着。
【請求項６】
前記第２の縫目範囲は、前記第２の縫目範囲付近の前記ポーチ領域内に布地ギャザーを形成するために、前記保持縫目のパターンを備える、
請求項１〜請求項５のいずれか１項に記載の下着。
【請求項７】
前記本体は、第１の筒状脚部と、前記第１の筒状脚部に略平行な第２の筒状脚部とを備え、
前記第１の筒状脚部及び前記第２の筒状脚部は、前記本体の第１の端部に向かって延在している、
請求項１〜請求項６のいずれか１項に記載の下着。
【請求項８】
前記第１の筒状脚部は、前記本体の第１の端部において前記第１の筒状脚部に編み込まれた第１の脚バンドを備え、
前記第２の筒状脚部は、前記本体の第１の端部において前記第２の筒状脚部に編み込まれた第２の脚バンドを備える、
請求項７に記載の下着。
【請求項９】
前記第１の筒状脚部及び前記第２の筒状脚部の内側スリットに沿って縫合され、前記縫目領域及び前記ポーチ領域に沿って少なくとも部分的に縫合されたクロッチ片（股布、crotch piece）をさらに備える、
請求項７または請求項８に記載の下着。
【請求項１０】
前記縫目領域は、前記クロッチ片と前記ポーチ領域との間の第３の縫目範囲を備える、
請求項９に記載の下着。
【請求項１１】
前記第３の縫目範囲は、１×１のリブ構造を備える、
請求項１０に記載の下着。
【請求項１２】
下着であって：
実質的に筒状の形状を有し、使用者の胴体の少なくとも一部を包囲するように構成された本体を備え、
前記本体は：
前記本体の前面にあるポーチ領域と；
保持縫目を備える、編み構造の縫目領域であって、前記保持縫目は前記ポーチ領域を少なくとも部分的に縁取り、前記縫目領域は前記本体の他の部分よりも横方向への伸縮性が低い、縫目領域と；
第１の筒状脚部と、前記第１の筒状脚部に略平行な第２の筒状脚部であって、前記第１の筒状脚部及び前記第２の筒状脚部は、前記本体の第１の端部に向かって延在している、第１の筒状脚部及び第２の筒状脚部と；
前記第１の筒状脚部及び前記第２の筒状脚部の内側スリットに沿って縫合され、前記縫目領域及び前記ポーチ領域に沿って少なくとも部分的に縫合されたクロッチ片（股布、crotch piece）を備え、
前記縫目領域は、前記ポーチ領域の外周に沿う第１の縫目範囲と、前記ポーチ領域と前記第１の縫目範囲との間の第２の縫目範囲とを備え、
前記第２の縫目範囲は、前記保持縫目を備え、前記第１の縫目範囲よりも横方向への伸縮性が低い、
下着。
【請求項１３】
前記本体は、丸網みされた筒状の未加工の生地で形成された、
請求項１２に記載の下着。
【請求項１４】
前記第１の縫目範囲は、外側縫目範囲と内側縫目範囲とを備え、
前記内側縫目範囲は、前記外側縫目範囲よりも横方向への伸縮性が低い、
請求項１２又は請求項１３に記載の下着。
【請求項１５】
前記外側縫目範囲は、第１のリブ構造を備え、
前記内側縫目範囲は、前記第１のリブ構造よりも幅広い第２のリブ構造を備える、
請求項１４に記載の下着。
【請求項１６】
前記外側縫目範囲の第１のリブ構造は、１×１のリブ構造を備え、
前記内側縫目範囲の第２のリブ構造は、４×１のリブ構造を備える、
請求項１５に記載の下着。
【請求項１７】
前記第２の縫目範囲は、前記第２の縫目範囲付近の前記ポーチ領域内に布地ギャザーを形成するために、前記保持縫目のパターンを備える、
請求項１２〜請求項１６のいずれか１項に記載の下着。
【請求項１８】
前記縫目領域は、前記クロッチ片と前記ポーチ領域との間の第３の縫目範囲を備える、
請求項１２〜請求項１７のいずれか１項に記載の下着。
【請求項１９】
前記第３の縫目範囲は、１×１のリブ構造を備える、
請求項１８に記載の下着。
【発明の詳細な説明】
【技術分野】
【０００１】
関連出願への相互参照
本出願は、２０１４年５月７日に出願された米国仮出願第６１／９９６，４４２号の特典を主張する。
【０００２】
本開示は、肌着、例えば男性用の肌着又は下着に関する。
【背景技術】
【０００３】
男性用ボクサーショーツ、男性用ブリーフ、更にこれらを組み合わせたボクサーブリーフなど、多数の形態の肌着が存在する。それぞれのスタイルは、フィット感、快適感、サポート感の異なる組み合わせを提供する。下着によるサポート性が不十分であると、エクササイズ又は他の運動中に、男性の解剖学的構造（身体構造）の動きにより不快感が生じる可能性がある。毎日の着用中に、不快感は、肌着が意図せず身体の上で移動してしまったり生地が部分的に寄り集まったりしてしまうことに帰着する。
【発明の概要】
【０００４】
本開示は男性用下着について説明する。
【０００５】
特定の態様は、実質的に筒状の形状で、使用者の胴体を少なくとも部分的に包囲するように構成された本体を含む肌着を包含する。本体は、本体の前面にあるポーチ（小袋）領域と、ポーチ領域を少なくとも部分的に縁取り、横方向の伸縮性（ストレッチ、stretch）が本体の他の部分よりも低い縫目領域とを含む。
【０００６】
この態様及び他の態様は、以下の特徴を１つ以上含むことができる。本体は、丸編みされた筒状の未加工の生地（ブランク、blank）で形成される。縫目領域は保持縫目を含み、保持縫目はポーチ領域を少なくとも部分的に縁取っている。縫目領域は、ポーチ領域の外周に沿う第１の縫目範囲と、ポーチ領域と第１の縫目範囲との間の第２の縫目範囲とを含み、第２の縫目範囲は保持縫目を含み、第１の縫目範囲よりも横方向への伸縮性が低い。第１の縫目範囲は外側縫目範囲と内側縫目範囲とを含み、内側縫目範囲は外側縫目範囲よりも横方向への伸縮性が低い。外側縫目範囲は第１のリブ構造を含み、内側縫目範囲は、第１のリブ構造よりも幅広い第２のリブ構造を含む。外側縫目範囲の第１のリブ構造は１×１のリブ構造を含み、内側縫目範囲の第２のリブ構造は４×１のリブ構造を含む。第２の縫目範囲は、第２の縫目範囲付近のポーチ領域内に布地ギャザーを形成するために、保持縫目のパターンを含む。本体は、第１の筒状脚部と、第１の筒状脚部に略平行な第２の筒状脚部とを含み、第１及び第２の脚部は本体の第１の端部に向かって延在している。第１の筒状脚部は、本体の第１の端部において第１の筒状脚部に編み込まれた第１の脚バンドを含み、第２の筒状脚部は、本体の第１の端部において第２の筒状脚部に編み込まれた第２の脚バンドを含む。肌着は、本体の第１の端部に対向する第２の端部において本体に取り付けられたウエストバンドを含む。肌着は、第１及び第２の筒状脚部の内側スリットに沿って縫合され、及び、縫目領域及びポーチ領域に沿って少なくとも部分的に縫合されたクロッチ片（股布 crotch piece）を含む。縫目領域は、クロッチ片とポーチ領域との間の第３の縫目範囲を含む。第３の縫目範囲は１×１のリブ構造を含む。
【０００７】
特定の態様は、肌着を作製する方法を包含し、この方法は、肌着の本体を形成するべく筒状の未加工生地を丸編みにて編成するステップを含み、本体は、その前面辺りにポーチ領域と、ポーチ領域を少なくとも部分的に縁取る縫目領域とを含み、縫目領域は本体の他の部分よりも横方向への伸縮性が低い。
【０００８】
この態様及び他の態様は、以下の特徴を１つ以上含むことができる。縫目領域は保持縫目を含み、保持縫目はポーチ領域を少なくとも部分的に縁取っている。肌着の本体を形成するべく筒状の未加工生地を丸編みにより編成するステップは、ポーチ領域の外周に沿って第１の縫目範囲と、ポーチ領域と第１の縫目範囲の間の第２の縫目範囲とを形成するために、縫目領域内の縫目パターンを選択的に変更するステップを含み、第２の縫目範囲は保持縫目を含み、第１の縫目範囲よりも横方向への伸縮性が低い。肌着本体を形成するために筒状の未加工生地を丸編みにて編成するするステップは、ポーチ領域を少なくとも部分的に縁取る保持縫目を形成するべく、縫目領域内の縫目パターンを選択的に変更するステップを含み、保持縫目はポーチ領域内に布地ギャザーを作り出すように構成されている。筒状の未加工生地を丸編みにより編成するステップは、筒状の未加工生地を、筒状の未加工生地の第１の端部のウェルト部から開始して丸編みにより編成するステップを含み、この方法は：筒状の未加工生地に一対のスリットを切り込むステップであって、スリットは、筒状の未加工生地の円周上の対向した各位置に切り込まれ、筒状の未加工生地の第１の端部から縦方向に延在し；第２の筒状の未加工生地を、ウェルト部（縁飾り部）から開始してウェルト部にて終端するまで丸編みによって編成するステップ；クロッチ片を形成するために、第２の筒状の未加工生地の長さにかけて、第２の筒状の未加工生地の一部を切断するステップであって、クロッチ片はウェルト部付き端部を含み；及び、２つの脚部を形成するために、クロッチ片を最初に述べた筒状の未加工生地のスリットの縁上に縫合するステップ；を含む。
【０００９】
特定の態様は、少なくとも部分的に肌着を製造する方法を包含し、この方法は、第１の筒状の未加工生地を、第１の筒状の未加工生地の第１の端部におけるウェルト部から開始して、丸編みにより編成するステップ；第１の筒状の未加工生地に一対のスリットを切り込むステップであって、スリットは第１の筒状の未加工生地の円周上の対向する各位置に切り込まれ、第１の筒状の未加工生地の第１の端部から、第１の筒状の未加工生地の縦方向長さに一部沿って延在し；第２の筒状の未加工生地を、第１の縦方向端部におけるウェルト部から開始し、第２の縦方向端部におけるウェルト部で終端を成すまで、丸編みにより編成するステップ；第２の筒状の未加工生地からクロッチ片を切断するステップであって、クロッチ片は第２の筒状の未加工生地の一区画であり、第１の縦方向端部におけるウェルト部から第２の縦方向端部におけるウェルト部まで延在し；２つの脚開口部を作製するために、クロッチ片を第１の筒状の未加工生地のスリットの縁上に縫合するステップであって、クロッチ片の第１及び第２の縦方向端部のウェルト部は、第１の筒状の未加工生地の第１の端部のウェルト部と整列する；上記各ステップを含む。
【００１０】
この態様、及びその他の態様は、以下の特徴を１つ以上含むことができる。この方法は、ウエストバンドを、第１の筒状の未加工生地の脚開口部と対向する位置に取り付けるステップを含む。第１の筒状の未加工生地を丸編みにより編成するステップは、保持縫目の範囲によって少なくとも部分的に縁取られたポーチを作製するために、第１の筒状の未加工生地の縫目パターンを選択的に変更するステップを含む。
【００１１】
本開示で説明する主題の１つ以上の実施の詳細は、添付の図面及び以下の詳細な説明において述べられる。本主題のその他の特徴、態様、利点は、詳細な説明、図面、特許請求の範囲から明白になろう。
【図面の簡単な説明】
【００１２】
【図１】肌着の実施例の正面図である。
【図２】肌着の実施例の背面図である。
【００１３】
【図３】肌着を作製する方法の実施例のフローチャートである。
【００１４】
【図４】少なくとも部分的に肌着を製造する方法の実施例のフローチャートである。
【００１５】
様々な図面における同様の符号及び記号は同様の要素を表す。
【発明を実施するための形態】
【００１６】
本開示は、男性用の肌着、例えば、肌着使用者の動作（例えば日常的な活動、エクササイズ、及び／又はその他）の最中に男性の解剖学的構造をサポートする肌着について説明する。肌着は、伸縮性の異なるシームレス（継目なし）な布地領域を含み、例えば、肌着の選択された布地領域の伸縮を選択的に制限することにより男性の解剖学的構造をサポートする。いくつかの例では、サポート性のある下着は丸編みされた肌着を含む。丸編みとは、編地から成る筒状の未加工生地を作成する従来の編成技術である。この未加工生地に１つ以上の仕上げ工程を施して肌着に仕上げることができる。肌着の製造には丸編み装置を使用することができる。例えば、Ｓａｎｔｏｎｉ  Ｃｏｍｐａｎｙは、直径がより大きな筒状の未加工生地を編成するように能力を高めた数種類の丸編み機械を開発した。いくつかの例では、丸編みした未加工生地を使用することで、完成衣類を形成するために縫い合わせる別個の布地片の数を減らすことができる。その結果、縫目を大幅に低減させた衣類を作成できる。布地片の数と縫目を低減させることで、衣類は、着用者にとってより快適になり、製造でのコスト効率を高めることができる。
【００１７】
図１、図２はそれぞれ、実施例である肌着１００の正面図及び背面図である。実施例である肌着１００はミッドサイ（mid-thigh、大腿の中間）丈ボクサーブリーフスタイルの肌着である。しかし、この実施例である肌着１００は様々なスタイルのものであってよい（例えばブリーフ、ボクサー、トランクス、ローサイ（low-thigh、大腿の下部）丈、及び／又はその他）。実施例である肌着１００は、実質的にシームレスな本体１０２、本体１０２に縫合されて本体の第１の端部にて脚部１０３を形成しているクロッチ片１０４、本体１０２の第１の端部に対向する第２の端部にて本体に接合（例えば、接着、縫合、及び／又はその他）されたウエストバンド１０６を含む。本体１０２は実質的に筒状の形状で、少なくとも一部が、本体１０２の第２の端部において、実施例である肌着１００の使用者の胴体を包囲している。本体１０２の第１の端部にて、クロッチ片１０４が両方の脚部１０３にわたって設けられ、各脚部１０３に実質的に筒状の形状を提供している。本開示では、縦方向は、実質的に本体１０２の第１の端部と第２の端部の間（つまり、本体１０２に沿ってウエストバンド１０６と脚部１０３の間）に延在する方向として定義することができる。同様に、横方向は、本体１０２の表面に沿った又はこれと接した、縦方向に対して実質的に垂直な方向として定義することができる。
【００１８】
いくつかの例では、本体１０２は第１の丸編みした未加工生地で形成され、クロッチ片１０４は、別の、丸編みにて編成された第２の未加工生地から切断される。実施例である肌着１００は、第１の丸編みした未加工生地、又は本体１０２を、第１の端部の円周上の対向する２つの位置にスリット（切れ目）を入れて切り開くことによって形成でき、各々のスリットは第１の未加工生地の長さの一部に沿って（つまり、本体１０２の第１の端部から）縦方向に延在する。クロッチ片１０４は本体１０２又は第１の未加工生地のスリットの縁に沿って縫合されて、これにより本体１０２の第１の端部に脚開口部を各々設けた２つの別々の脚部１０３が形成される。本体１０２の、脚開口部と対向する第２の端部は、例えば縫合、接着、及び／又はその他の方法によってウエストバンド１０６に取り付けることができる。いくつかの例では、ウエストバンド１０６は第１の丸編みにより編成された未加工生地の一部として形成されている。いくつかの実施例では、ウエストバンド１０６は弾性のウエストバンドを含んでいる。
【００１９】
図１、図２の実施例である肌着１００は男性が使用することができる。そのため、実施例である肌着１００の本体１０２は、例えば第１の筒状の未加工生地の丸編み工程中に、本体１０２と一体的に編成されたポーチ１０８を含む。いくつかの例では、ポーチ１０８は、例えば別のポーチ用布地片を重ねて作成した、開口部を含む。本体１０２は、本体１０２の前面（例えば中央前方）辺りのポーチ領域１０８と、ポーチ領域１０８を（部分的に、ほぼ全体に、又は全体に）縁取り、第１の筒状の未加工生地内に一体的に編成された縫目領域１１０とを含む。例えば、男性使用者が肌着１００を着用して動作している最中に、男性の解剖学的構造をポーチ領域１０８内でサポートするために、縫目領域１１０内には精選された各種の縫目パターンが含まれており、これによって、縫目領域１１０内の各範囲の（例えば横及び／又は縦方向への）伸縮を制限するようになっている。縫目領域１１０は、ポーチ領域１０８の一部を縁取っている保持縫目パターンを含む。保持縫目パターンは、肌着１００着用者である男性の解剖学的構造を収容するスペースとなる布地ギャザー１１１（例えば、余分な本体布地、布地折り畳み、布地しわ、及び／又はその他のギャザー形態）をポーチ領域１０８内に形成する。図１では布地ギャザー１１１がポーチ領域１０８のほぼ端部辺りと側部にあるように示されているが、布地ギャザー１１１はポーチ領域１０８の幅（その一部、ほぼ全体、又は全体）にわたって延在しても、及び／又は、ポーチ領域１０８の別の又は更に長い縦方向長さに沿って延在してもよい。
【００２０】
実施例である肌着１００の縫目領域１１０は、ポーチ領域１０８の外周に沿う第１の縫目範囲を含む。第１の縫目範囲は、ポーチ領域１０８の周囲に、ウエストバンド１０６からクロッチ片１０４に向かって全体的にＵ字型に延在している。第１の縫目範囲は、肌着１００の正面平面図においてポーチ領域１０８に全体的に２次元的な形状を提供している（例えば、図１の肌着の正面図）。第１の縫目範囲は、例えば本体の他の範囲と比べて編成構造（編組織）を狭くすることにより、本体１０２の他の範囲よりも伸縮性が低い。例えば、実施例である肌着の本体１０２は主として平編地又はジャージ編地構造（編組織）であってよい。主要本体（main body）１０２のジャージパターンをポーチ領域１０８内のジャージパターンから分離させる縫目領域１１０によって、ポーチ領域１０８は、本体１０２の他の範囲から境界を画されている。本体１０２を主にジャージ編地として説明したが、その他のパターンを用いて肌着１００の大部分を形成することも可能である。
【００２１】
図１の実施例である肌着１００では、第１の縫目範囲は外側縫目範囲１１２と内側縫目範囲１１４とを含み、内側縫目範囲１１４は外側縫目範囲１１２よりも伸縮性が低い。いくつかの例では、内側縫目範囲１１４と外側縫目範囲１１２は異なるリブ構造を含み、例えば、内側縫目範囲１１４は外側縫目範囲１１２よりも幅広いリブ構造を設けることができる。実施例によっては、内側縫目範囲１１４のリブ構造は４×１、外側縫目範囲１１２のリブ構造は１×１である。縫目領域１１０は、ポーチ領域１０８と第１の縫目範囲の間に第２の縫目範囲１１６を更に含み、第２の縫目範囲１１６は、ポーチ領域１０８内に布地ギャザー１１１を形成する保持縫目のパターンを含む。第２の縫目範囲１１６は、例えばそのより幅広いリブ構造により、第１の縫目範囲よりも伸縮性が低い（即ち、外側縫目範囲１１２及び内側縫目範囲１１４よりも伸縮性が低い）。縫目領域１１０の内側縫目範囲１１４、外側縫目範囲１１２、及び／又は第２の縫目範囲１１６のリブ構造は、例えば該範囲の所望の伸縮性に基づいて変更することができる。図１、図２の実施例である肌着１００では、外側縫目範囲１１２、内側縫目範囲１１４、第２の縫目範囲１１６の異なるリブ構造により、縫目領域１１０の外縁（例えば外側縫目範囲１１２）から、ポーチ領域１０８に近接した縫目領域１１０の内縁（例えば第２の縫目範囲１１６）までの横方向への伸縮性が徐々に減少する伸縮パターンが作られる。いくつかの例では、縫目範囲１１０の各範囲の伸縮を制限する方向は、例えば或る伸縮制限方向では、範囲ごとに異なる。例えば、外側縫目範囲１１２と内側縫目範囲１１４は実質的に横方向への伸縮を制限することができ、第２の縫目範囲１１６は実質的に縦方向への伸縮を制限することができる。
【００２２】
内側縫目範囲１１４、外側縫目範囲１１２、第２の縫目範囲１１６のリブ編み構造は、本体１０２のその他の部分及びポーチ領域１０８のジャージ編み部分と比べて、実施例である肌着１００の本体１０２の横方向への伸縮性を変化させる。縫目パターンはいくつかの針を超えて浮くので、例えば、リブ編みの内側及び外側縫目範囲１１４、１１２は、ジャージ編み部分と比べてコース方向（即ち横方向）への復元力（例えば、弾性復元、弾性戻り、伸縮戻り、剛性、及び／又はその他の力）が高い。布地ギャザー１１１は、少なくとも部分的にポーチ領域１０８の３次元形状を提供し、布地ギャザー１１１は、第２の縫目範囲１１６によって、容易にできる、又は少なくとも一部が提供される、又は画成される。第２の縫目範囲１１６は、例えば、男性使用者が実施例である肌着１００を着用して運動している最中に、男性の解剖学的構造の側方から側方への（即ち横方向への）動きの制限を補助するサポート性を実施例である肌着１００に追加する。本体１０２の縫目領域１１０での制限された伸縮性により、側方から側方へのサポート性は、第２の縫目範囲１１６内の保持縫目に基づいて増加する。いくつかの例では、第２の縫目範囲１１６内の保持縫目の保持ループは３乃至６コースについて保持される。保持縫目の保持ループは、第２の縫目範囲１１６のリブパターンと組み合わせて作成することができる。言い換えれば、第２の縫目範囲１１６は、数コースについていくつかのループを更に保持して、保持縫目を形成しながら、ベースリブパターンを有することができる。第２の縫目範囲１１６内の保持ループは、更に耐伸縮性の高い部分を提供する。特定の例では、肌着１００はいくつかの伸縮性ゾーンを設けており、本体１０２の大部分は第１の伸縮性Ａ、外側縫目範囲１１２は第２の伸縮性Ｂ、内側縫目範囲１１４は第３の伸縮性Ｃ、第２の縫目範囲１１６は第４の伸縮性Ｄを有し、ここでＡ＞Ｂ＞Ｃ＞Ｄであると考慮できる。
【００２３】
縫目領域１１０は追加の、又は別の特徴を含むことができる。例えば、図１、図２の実施例である肌着１００の縫目領域１１０は、クロッチ片１０４とポーチ領域１０８の間に第３の縫目範囲１１８を含む。図１、図２では、第３の縫目範囲１１８は、本体１０２をクロッチ片１０４に接合している縫目１２０に隣接した、ポーチ領域１０８の極めて底部に形成されている。いくつかの例では、第３の縫目範囲１１８は、外側縫目範囲１１２、又は他の適当な縫目パターンと同様に１×１といったリブパターンを設けることで、ほどけ防止機能（例えば布地のほどけ防止）を提供している。第３の縫目範囲１１８は、ポーチ領域１０８の３次元形状と、縫目領域１１０がポーチ領域１０８に与えるサポートレベルとに貢献することができる。実施例によっては、第３の縫目範囲１１８のリブは、さらに、クロッチ片１０４へのより滑らかな遷移と、一対の脚部１０３の交差部分の湾曲した形状を可能にするように本体１０２を成形する。図２に示すような特定の例では、第３の縫目範囲１１８は、実施例である肌着１００の背面の縫目１２０の弧に沿って同様に配置されている。いくつかの例では、第３の縫目範囲１１８は、横方向への伸縮を制限する第１の及び第２の縫目範囲１１６のリブパターンと比較して、縦方向への伸縮を制限するリブパターンを含む。
【００２４】
実施例である肌着１００の脚部１０３の各々は、本体１０２の第１の端部に脚バンド１２２を含む。脚バンド１２２は、本体１０２の大部分のジャージ編みと比較して、例えば、伸縮（即ち横方向伸縮）に抵抗し、パワー又は収縮力を付与するリブ編みパターンによって作成することができる。このパワーの増加は、脚バンド１２２が着用者の脚に沿って移動するのを阻止する上で補助となり、肌着１００が寄り集まってしまうことを防ぐ。各脚バンド１２２の少なくとも一部は、本体１０２を形成している第１の筒状の未加工生地と一体に作製されている。各脚バンド１２２のその他の部分は、クロッチ片１０４に使用する第２の未加工生地と一体に作製されてもよい。各脚バンド１２２の一体化部分は、丸編み工程中にウェルト部として作製される。各ウェルト部（即ち脚バンド１２２）は、第１の層を第２の層上にひっくり返して編成された２層の布地を含み、第２の層は引き続き未加工生地の他の部分を形成する。
【００２５】
ウェルト部は丸編みした未加工生地の各々の縦方向端部上に形成することができるが、しかし、未加工生地の開始端部に編み込まれたウェルト部は、よりすっきりとしてスムーズな、２層の生地が合わさる合流部分を作製することができる。この理由のために、筒状に編まれた未加工生地から成る従来のシームレスな衣類は、典型的には、最初にウエストバンド端部を編むことで、１次合流部分がウエストバンド端部に位置し、２次合流部分（ある場合）が脚バンド端部に位置するようにしている。肌着１００の第２の端部にウエストバンド１０６を含んだ図１、図２の実施例である肌着１００では、第１の丸編みにて編成された未加工生地の第１のウェルト部（即ち、本体１０２の第１の端部）を脚バンド１２２の部分として使用しており、ここで、第１の筒状の未加工生地の１次合流部分１２４は、ウエストバンド１０６に最も近い本体１０２の第２の端部と対向した、本体１０２の第１の端部に位置する。要するに、図１、図２の実施例である肌着１００は、従来の肌着とは逆さまに編成される。肌着１００を逆さまに編成することで、脚バンド１２２がより強力になるため、肌着１００が脚部１０３の脚バンド１２２にて着用者身体の適所により上手く保持されるようになる。さらに、１次合流部分１２４が本体１０２の脚バンド１２２に沿っているため、巻き上がり易い及び丸まり易い余分なトリムオフ部（切り落とし部）が最小化されることで、脚バンド１２２の快適性が改善される。
【００２６】
脚バンド１２２は、脚バンド１２２がクロッチ片１０４内部に位置する部分に沿ってクロッチ合流部分１２６を更に含んでいる。クロッチ片１０４は丸編みにて編成された第２の未加工生地で形成され、この未加工生地の両端部にウェルト部を設けているため、クロッチ片１０４は第１の端部に第１のウェルト部を１次合流部分と共に含み、これと対向した第２の端部に第２のウェルト部を２次合流部分と共に含む。したがって、一方の脚バンド１２２のクロッチ合流部分１２６は１次合流部分（即ち編成された第１のウェルト部）であり、他方の脚バンド１２２のクロッチ合流部分１２６は２次合流部分（即ち編成された第２のウェルト部）である。第１の筒状の未加工生地（即ち本体１０２）のウェルト部で形成された脚バンド１２２の各部が、第２の筒状の未加工生地（即ちクロッチ片１０４）のウェルト部で形成された脚バンド１２２の各部に、縫目１２０によって接合されている。クロッチ片１０４の１次及び／又は２次合流部分に関連したクロッチ合流部分１２６には、トリムオフ部分があってもよい。トリムオフ部は、クロッチ片１０４の２次合流部分に関連した１つの脚バンド１２２の円周部に少しあるだけなので、実施例である肌着１００の全体についてのトリムオフ部は最小限に抑えられる。いくつかの例では、トリムオフ部はクロッチ合流部分１２６の１次合流部分には全く存在しない。いくつかの例では、各端部にウェルト部を形成するが、第１の端部のウェルト部にはトリムオフ部を設けず形成するように、丸編みにて編成された未加工生地を編成することができる。
【００２７】
実施例である肌着１００は弾性布地又は伸縮性を持たせて編成された編地によって編成することができる。このような布地は、柔らかさ、快適性、そして所望の伸縮特性を提供するために、例えば綿、ポリエステル、ナイロン、及び／又はスパンデックス糸の異なる組み合わせからできていてもよい。
【００２８】
図３は、例えば図１、図２の実施例である肌着１００のような肌着を作製する実施例である、方法２００について述べたフローチャートである。ステップ２０２で、肌着の本体を形成するために丸編みによって筒状の未加工の生地を作成し、ここで、肌着の本体は、本体の前面辺りにポーチ領域と、保持縫目を含んだ縫目領域とを含み、保持縫目はポーチ領域を少なくとも部分的に縁取っており、縫目領域は本体の他の部分よりも横方向への伸縮性が低い。
【００２９】
図４は、例えば図１、図２の実施例である肌着１００のような肌着の少なくとも一部を製造する実施例である、方法３００について述べたフローチャートである。ステップ３０２で、第１の筒状の未加工生地を、この未加工生地の第１の端部におけるウェルト部から開始して、丸編みにより形成する。ステップ３０４で、第１の筒状の未加工生地に一対のスリットを切り込む。スリットは、第１の筒状の未加工生地の円周上の対向する各位置に切り込まれ、および、第１の筒状の未加工生地の第１の端部から、第１の筒状の未加工生地の縦の長さに一部沿って延在する。ステップ３０６で、第２の筒状の未加工生地を、第２の筒状の未加工生地の第１の縦方向端部のウェルト部から開始し、同じ未加工生地の第２の縦方向端部のウェルト部で終端するまで丸編みにより形成する。ステップ３０８で、第２の筒状の未加工生地からクロッチ片を切断する。クロッチ片は、第２の筒状の未加工生地の一区画であり、第１の縦方向端部におけるウェルト部から第２の縦方向端部におけるウェルト部まで延在している。ステップ３１０で、クロッチ片を第１の筒状の未加工生地のスリット縁に縫合して、２つの脚開口部を作製する。クロッチ片の第１及び第２の縦方向端部のウェルト部は、第１の筒状の未加工生地の第１の端部のウェルト部と（一列に）整列する。
【００３０】
多くの実施について説明した。しかし、本開示の趣旨及び範囲から逸脱せずに様々な改変が可能であることが理解されるであろう。
［第１の局面］
肌着であって：
実質的に筒状の形状を有し、使用者の胴体の少なくとも一部を包囲するように構成された本体を備え、
前記本体は：
前記本体の前面にあるポーチ領域と；
前記ポーチ領域を少なくとも部分的に縁取り、前記本体の他の部分よりも横方向への伸縮性が低い縫目領域と；を備える、
肌着。
［第２の局面］
前記本体は、丸網みされた筒状の未加工の生地で形成された、
第１の局面に記載の肌着。
［第３の局面］
前記縫目領域は、保持縫目を備え、
前記保持縫目は、前記ポーチ領域を少なくとも部分的に縁取る、
第１の局面または第２の局面に記載の肌着。
［第４の局面］
前記縫目領域は、前記ポーチ領域の外周に沿う第１の縫目範囲と、前記ポーチ領域と前記第１の縫目範囲との間の第２の縫目範囲とを備え、
前記第２の縫目範囲は、前記保持縫目を備え、前記第１の縫目範囲よりも横方向への伸縮性が低い、
第３の局面に記載の肌着。
［第５の局面］
前記第１の縫目範囲は、外側縫目範囲と内側縫目範囲とを備え、
前記内側縫目範囲は、前記外側縫目範囲よりも横方向への伸縮性が低い、
第４の局面に記載の肌着。
［第６の局面］
前記外側縫目範囲は、第１のリブ構造を備え、
前記内側縫目範囲は、前記第１のリブ構造よりも幅広い第２のリブ構造を備える、
第５の局面に記載の肌着。
［第７の局面］
前記外側縫目範囲の第１のリブ構造は、１×１のリブ構造を備え、
前記内側縫目範囲の第２のリブ構造は、４×１のリブ構造を備える、
第６の局面に記載の肌着。
［第８の局面］
前記第２の縫目範囲は、前記第２の縫目範囲付近の前記ポーチ領域内に布地ギャザーを形成するために、前記保持縫目のパターンを備える、
第４の局面〜第６の局面のいずれか１項に記載の肌着。
［第９の局面］
前記本体は、第１の筒状脚部と、前記第１の筒状脚部に略平行な第２の筒状脚部とを備え、
前記第１の脚部及び前記第２の脚部は、前記本体の第１の端部に向かって延在している、
第１の局面〜第８の局面のいずれか１項に記載の肌着。
［第１０の局面］
前記第１の筒状脚部は、前記本体の第１の端部において前記第１の筒状脚部に編み込まれた第１の脚バンドを備え、
前記第２の筒状脚部は、前記本体の第１の端部において前記第２の筒状脚部に編み込まれた第２の脚バンドを備える、
第９の局面に記載の肌着。
［第１１の局面］
前記本体の前記第１の端部に対向する第２の端部において、前記本体に取り付けられたウエストバンドをさらに備える、
第９の局面または第１０の局面に記載の肌着。
［第１２の局面］
前記第１の筒状脚部及び前記第２の筒状脚部の内側スリットに沿って縫合され、前記縫目領域及び前記ポーチ領域に沿って少なくとも部分的に縫合されたクロッチ片（股布、crotch piece）をさらに備える、
第９の局面〜第１１の局面のいずれか１項に記載の肌着。
［第１３の局面］
前記縫目領域は、前記クロッチ片と前記ポーチ領域との間の第３の縫目範囲を備える、
第９の局面〜第１２の局面のいずれか１項に記載の肌着。
［第１４の局面］
前記第３の縫目範囲は、１×１のリブ構造を備える、
第１３の局面に記載の肌着。
［第１５の局面］
肌着を作製する方法であって：
肌着の本体を形成するために、筒状の未加工の生地を丸網みにより編成するステップを備え、
前記本体は：
前記本体の前面にあるポーチ領域と；
前記ポーチ領域を少なくとも部分的に縁取り、前記本体の他の部分よりも横方向への伸縮性が低い縫目領域と；を備える、
肌着を作製する方法。
［第１６の局面］
前記縫目領域は、保持網目を備え、
前記保持網目は、前記ポーチ領域を少なくとも部分的に縁取る、
第１５の局面に記載の方法。
［第１７の局面］
前記肌着の本体を形成するために、筒状の未加工の生地を丸編みにより編成するステップは、前記ポーチ領域の外周に沿って第１の縫目範囲と、前記ポーチ領域と前記第１の縫目範囲の間に第２の縫目範囲とを形成するために、前記縫目領域内の縫目パターンを選択的に変更するステップを備え、
前記第２の縫目範囲は、保持縫目を備え、前記第１の縫目範囲よりも横方向への伸縮性が低い、
第１５の局面または第１６の局面に記載の方法。
［第１８の局面］
前記肌着の本体を形成するために、筒状の未加工の生地を丸編みにより編成するステップは、前記ポーチ領域を少なくとも部分的に縁取る保持縫目を形成するために、前記縫目領域内の縫目パターンを選択的に変更するステップを含み、
前記保持縫目は、前記ポーチ領域内に布地ギャザーを作り出すように構成されている、
第１５の局面〜第１７の局面のいずれか１項に記載の方法。
［第１９の局面］
前記筒状の未加工の生地を丸編みにより編成するステップは、筒状の未加工の生地の第１の端部のウェルト部から開始して、筒状の未加工の生地を丸編みにより編成するステップを備え、
前記方法はさらに：
前記筒状の未加工の生地に一対のスリットを切り込むステップであって、前記スリットは、前記筒状の未加工の生地の円周上の対向した各位置に切り込まれ、前記筒状の未加工の生地の前記第１の端部から縦方向に延在する、スリットを切り込むステップと；
第２の筒状の未加工の生地を、ウェルト部から開始してウェルト部にて終端するまで丸編みにより編成するステップと；
クロッチ片を形成するために、前記第２の筒状の未加工の生地の長さにかけて、前記第２の筒状の未加工の生地の一部を切断するステップであって、前記クロッチ片は、ウェルト部付き端部を有する、切断するステップと；
２つの脚部を形成するために、前記クロッチ片を最初に述べた前記筒状の未加工の生地のスリットの縁上に縫合するステップと；を備える、
第１５の局面〜第１８の局面のいずれか１項に記載の方法。
［第２０の局面］
少なくとも部分的に肌着を製造する方法であって：
前記方法は：
第１の筒状の未加工生地を、前記第１の筒状の未加工の生地の第１の端部におけるウェルト部から開始して、丸編みにより編成するステップと；
前記第１の筒状の未加工の生地に一対のスリットを切り込むステップであって、前記スリットは前記第１の筒状の未加工の生地の円周上の対向する各位置に切り込まれ、前記第１の筒状の未加工の生地の前記第１の端部から、前記第１の筒状の未加工の生地の縦方向長さに一部沿って延在する、スリットを切り込むステップと；
第２の筒状の未加工の生地を、第１の縦方向端部におけるウェルト部から開始し、第２の縦方向端部におけるウェルト部で終端を成すまで、丸編みにより編成するステップと；
前記第２の筒状の未加工の生地からクロッチ片を切断するステップであって、前記クロッチ片は前記第２の筒状の未加工の生地の一区画であり、前記第１の縦方向端部におけるウェルト部から前記第２の縦方向端部におけるウェルト部まで延在する、クロッチ片を切断するステップと；
２つの脚開口部を作製するために、前記クロッチ片を前記第１の筒状の未加工の生地のスリットの縁上に縫合するステップであって、前記クロッチ片の第１及び第２の縦方向端部の前記ウェルト部は、前記第１の筒状の未加工の生地の前記第１の端部のウェルト部と整列する、縫合するステップと；を備える、
肌着を製造する方法。
［第２１の局面］
ウエストバンドを、前記第１の筒状の未加工の生地の前記脚開口部に対向する位置に取り付けるステップをさらに備える、
第２０の局面に記載の方法。
［第２２の局面］
前記第１の筒状の未加工の生地を丸編みにより編成するステップは、保持縫目の範囲によって少なくとも部分的に縁取られたポーチを作製するために、前記第１の筒状の未加工の生地の縫目パターンを選択的に変更するステップを備える、
第２０の局面または第２１の局面に記載の方法。
【符号の説明】
【００３１】
１００    肌着
１０２    本体
１０３    脚部
１０４    クロッチ片
１０６    ウエストバンド
１０８    ポーチ、ポーチ領域
１１０    縫目領域
１１１    布地ギャザー
１１２    外側縫目範囲（第１の縫目範囲）
１１４    内側縫目範囲（第１の縫目範囲）
１１６    第２の縫目範囲
１１８    第３の縫目範囲
１２０    縫目
１２２    脚バンド
１２４    １次合流部分
１２６    クロッチ合流部分
【図１】
2020204145.tif 000003
【図２】
2020204145.tif 000004
【図３】
2020204145.tif 000005
【図４】
2020204145.tif 000006
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
下着を作製する方法であって：
下着の本体を形成するために、筒状の未加工の生地を丸編みにより編成するステップを備え、
前記本体は：
前記本体の前面にあるポーチ領域と；
前記ポーチ領域を少なくとも部分的に縁取る保持縫目を備える縫目領域であって、前記本体の他の部分よりも横方向への伸縮性が低い前記縫目領域と；を備え、
下着の本体を形成するために、筒状の未加工の生地を丸編みにより編成する前記ステップは、前記ポーチ領域を少なくとも部分的に縁取る前記保持縫目を形成するために、前記縫目領域内の縫目パターンを選択的に変更するステップを備え、
前記保持縫目は、前記ポーチ領域内に布地ギャザーを作り出すように構成されている、
下着を作製する方法。
【請求項２】
下着の本体を形成するために、筒状の未加工の生地を丸編みにより編成する前記ステップは、前記ポーチ領域の外周に沿って第１の縫目範囲と、前記ポーチ領域と前記第１の縫目範囲の間に第２の縫目範囲とを形成するために、前記縫目領域内の縫目パターンを選択的に変更するステップを備え、
前記第２の縫目範囲は、前記保持縫目を備え、前記第１の縫目範囲よりも横方向への伸縮性が低い、
請求項１に記載の方法。
【請求項３】
筒状の未加工の生地を丸編みにより編成する前記ステップは、第１の筒状の未加工の生地の第１の端部のウェルト部から開始して、前記第１の筒状の未加工の生地を丸編みにより編成するステップを備え、
前記下着を作製する方法は：
前記第１の筒状の未加工の生地に一対のスリットを切り込むステップであって、前記スリットは、前記第１の筒状の未加工の生地の円周上の対向した各位置に切り込まれ、前記第１の筒状の未加工の生地の前記第１の端部から縦方向に延在する、前記切り込むステップと；
第２の筒状の未加工の生地を、ウェルト部から開始してウェルト部にて終端するまで丸編みにより編成するステップと；
クロッチ片を形成するために、前記第２の筒状の未加工の生地の長さにかけて、前記第２の筒状の未加工の生地の一部を切断するステップであって、前記クロッチ片はウェルト部付き端部を有する、前記切断するステップと；
２つの脚部を形成するために、前記クロッチ片を前記第１の筒状の未加工の生地のスリットの縁上に縫合するステップと；をさらに備える、
請求項１または請求項２に記載の方法。
【請求項４】
少なくとも部分的に下着を製造する方法であって：
第１の筒状の未加工生地を、前記第１の筒状の未加工の生地の第１の端部におけるウェルト部から開始して、丸編みにより編成するステップと；
前記第１の筒状の未加工の生地に一対のスリットを切り込むステップであって、前記スリットは、前記第１の筒状の未加工の生地の円周上の対向する各位置に切り込まれ、前記第１の筒状の未加工の生地の前記第１の端部から、前記第１の筒状の未加工の生地の縦方向の長さに一部沿って延在する、前記スリットを切り込むステップと；
第２の筒状の未加工の生地を、第１の縦方向端部におけるウェルト部から開始し、第２の縦方向端部におけるウェルト部で終端を成すまで、丸編みにより編成するステップと；
前記第２の筒状の未加工の生地からクロッチ片を切断するステップであって、前記クロッチ片は、前記第２の筒状の未加工の生地の一区画であり、前記第１の縦方向端部におけるウェルト部から前記第２の縦方向端部におけるウェルト部まで延在する、前記切断するステップと；
２つの脚開口部を作製するために、前記クロッチ片を前記第１の筒状の未加工の生地のスリットの縁上に縫合するステップであって、前記クロッチ片の前記第１及び第２の縦方向端部の前記ウェルト部は、前記第１の筒状の未加工の生地の前記第１の端部の前記ウェルト部と整列する、前記縫合するステップと；を備える、
下着を製造する方法。
【請求項５】
ウエストバンドを、前記第１の筒状の未加工の生地の前記脚開口部に対向する位置に取り付けるステップをさらに備える、
請求項４に記載の方法。
【請求項６】
第１の筒状の未加工の生地を丸編みにより編成する前記ステップは、保持縫目の範囲によって少なくとも部分的に縁取られたポーチを作製するために、前記第１の筒状の未加工の生地の縫目パターンを選択的に変更するステップを備える、
請求項４または請求項５に記載の方法。
【請求項７】
下着を作製する方法であって：
下着の本体を形成するために、筒状の未加工の生地を丸編みにより編成するステップを備え、
前記本体は：
前記本体の前面にあるポーチ領域と；
前記ポーチ領域を少なくとも部分的に縁取る保持縫目を備える縫目領域であって、前記本体の他の部分よりも横方向への伸縮性が低い前記縫目領域と；を備え、
下着の本体を形成するために、筒状の未加工の生地を丸編みにより編成する前記ステップは、前記ポーチ領域の外周に沿って第１の縫目範囲と、前記ポーチ領域と前記第１の縫目範囲の間に第２の縫目範囲とを形成するために、前記縫目領域内の縫目パターンを選択的に変更するステップを備え、
前記保持縫目は、前記ポーチ領域内に布地ギャザーを作り出すように構成されており、
前記第２の縫目範囲は、前記保持縫目を備え、前記第１の縫目範囲よりも横方向への伸縮性が低い、
下着を作製する方法。
【請求項８】
筒状の未加工の生地を丸編みにより編成する前記ステップは、第１の筒状の未加工の生地の第１の端部のウェルト部から開始して、前記第１の筒状の未加工の生地を丸編みにより編成するステップを備え、
前記下着を作製する方法は：
前記第１の筒状の未加工の生地に一対のスリットを切り込むステップであって、前記スリットは、前記第１の筒状の未加工の生地の円周上の対向した各位置に切り込まれ、前記第１の筒状の未加工の生地の前記第１の端部から縦方向に延在する、前記切り込むステップと；
第２の筒状の未加工の生地を、ウェルト部から開始してウェルト部にて終端するまで丸編みにより編成するステップと；
クロッチ片を形成するために、前記第２の筒状の未加工の生地の長さにかけて、前記第２の筒状の未加工の生地の一部を切断するステップであって、前記クロッチ片はウェルト部付き端部を有する、前記切断するステップと；
２つの脚部を形成するために、前記クロッチ片を前記第１の筒状の未加工の生地のスリットの縁上に縫合するステップと；をさらに備える、
請求項７に記載の方法。